(57)【要約】【課題】うがいを習慣づけようと心がけ、うがい薬の容器をコップの近辺や洗面所の棚等に配備しても、つい存在を忘れてしまったり、うがいのたびにうがい薬の容器からうがい薬をコップに入れる作業が面倒で、なかなか身に付かない。  本発明は、うがいの習慣化に適した、うがい促進容器を提供する。【解決手段】コップに貯水槽とうがい薬貯液槽を有するうがい促進容器は、コップの外周部に取っ手を設け、貯水槽の開口部平面より下にポンプと一体型のうがい薬貯液槽キャップをうがい薬貯液槽に装着し、貯水槽の内部に水量メモリ、うがい薬貯液槽の内部にうがい薬メモリを設け、うがい薬貯液槽の外周部下部に残量確認窓を設けた構成からなる、コップとうがい薬容器一体型のうがい促進容器。【選択図】図２
2014083250.tif 000002
【特許請求の範囲】
【請求項１】
コップに貯水槽とうがい薬貯液槽を有するうがい促進容器は、うがい薬貯液槽にポンプと一体型のうがい薬貯液槽キャップを装着したことを特徴とする、コップとうがい薬容器一体型のうがい促進容器。
【請求項２】
貯水槽の開口部平面より下にポンプ部を設けたことを特徴とする請求項１記載のうがい促進容器。
【請求項３】
コップと着脱可能なうがい促進容器は、うがい薬容器にうがい薬貯液槽を設け、うがい薬貯液槽にポンプと一体型のうがい薬貯液槽キャップを装着し、うがい薬容器の外周部にコップと着脱可能な装着器具を設け、携帯時等に装着するポンプキャップを設けた、うがい薬容器独立型のうがい促進容器。
【請求項４】
平面から見た断面が内側に湾曲しているうがい薬貯液槽を設けたことを特徴とする請求項３記載のうがい促進容器。
【発明の詳細な説明】
【技術分野】
【０００１】
本発明は、うがいの習慣化を目指し、コップとうがい薬容器の関係性を高めた、うがい促進容器に関するものである。
【背景技術】
【０００２】
従来、コップとうがい薬の容器を個々に常備し、うがいのたびに、コップの近辺や洗面所の棚等からうがい薬の容器を取り出し、キャップ等を外し、用量を調節し、水の入ったコップに注入してうがいが行われていた。
なお、コップを器具に傾斜姿勢でセットし、うがい薬を規定量だけ計量する構造のもの（特許文献１）や、茶ポリフェノールをうがい薬とした個体が、コップにあらかじめ付着されているもの（特許文献２）。または、うがい液と使用後のうがい液を破棄する吸収剤をコップに設けた、携帯用のうがい具（特許文献３）が開発されている。
【先行技術文献】
【特許文献】
【０００３】
【特許文献１】特開２００４−５３５６５号公報
【特許文献２】特開平１０−５２５２号公報
【特許文献３】特開２０１１−１２０７００号公報
【発明の概要】
【発明が解決しようとする課題】
【０００４】
うがいを習慣づけようと心がけ、うがい薬の容器をコップの近辺や洗面所の棚等に配備しても、つい存在を忘れてしまったり、うがいのたびにうがい薬の容器からうがい薬をコップに入れる作業が面倒で、なかなか身に付かない。
また、前記特許文献１は、うがい薬の計量効果はあるが、水平な場所等、設置条件が限られる。前記特許文献２乃至３においては、携帯性には優れているが、使い捨て構造のため連続性に欠けるものであった。
本発明は以上の問題点を解決するものである。
【課題を解決するための手段】
【０００５】
請求項１乃至請求項２に記載の、コップに貯水槽とうがい薬貯液槽を有するうがい促進容器は、コップの外周部に取っ手を設け、貯水槽の開口部平面より下にポンプと一体型のうがい薬貯液槽キャップをうがい薬貯液槽に装着し、貯水槽の内部に水量メモリ、うがい薬貯液槽の内部にうがい薬メモリを設け、うがい薬貯液槽の外周下部に残量確認窓を設けた構成からなる、コップとうがい薬容器一体型のうがい促進容器である。
【０００６】
請求項３乃至請求項４に記載の、コップと着脱可能なうがい薬容器を有するうがい促進容器は、コップの貯水槽の内部に水量メモリを設け、うがい薬容器に、平面から見た断面が内側に湾曲しているうがい薬貯液槽を設け、うがい薬貯液槽の内部にうがい薬メモリを設け、うがい薬貯液槽にポンプと一体型のうがい薬貯液槽キャップを装着し、うがい薬容器の外周部にコップと着脱可能な装着器具を設け、うがい薬貯液槽の外周下部に残量確認窓を設け、うがい薬容器の携帯時等に装着するポンプキャップを設けた構成からなる、コップとうがい薬容器独立型のうがい促進容器である。
【発明の効果】
【０００７】
コップとうがい薬容器一体型のうがい促進容器は、コップにうがい薬を常備するうがい薬容器が一体化されてることにより、直感的にうがい行為へ導引することができる。そして、ポンプヘッドの押圧で適量のうがい薬が簡単に注入されるので、従来の作業手順の煩わしさから開放されることとなる。また、ポンプと一体型のうがい薬貯液槽キャップは、着脱が容易に行える構造により、うがい薬の詰替え時にも便利かつ連続的な使用が可能である。
【０００８】
コップとうがい薬容器独立型のうがい促進容器は、本発明でセット開発されるコップはもちろんのこと、使用者が所持する歯磨用のコップ等、不特定なコップに設置可能で柔軟性に優れている。さらに、持ち運ぶ際にはポンプキャップを装着することで、衛生的かつポンプヘッドの誤押圧が防止され、携帯性が発揮される。
以上のことから、本発明は、うがいの習慣化に効果的な条件を兼ね備えた、うがい促進容器である。
【図面の簡単な説明】
【０００９】
【図１】実施例１における斜視図。
【図２】実施例１における使用状態を示す正面断面図。
【図３】実施例１におけるポンプ部取り外し構造を一部透視して示す斜視図。
【図４】実施例２におけるコップとうがい薬容器の連結時を示す斜視図。
【図５】実施例２における使用状態を示す正面断面図。
【図６】実施例２におけるコップとうがい薬容器の連結時を示す平面断面図。
【図７】実施例２におけるうがい薬容器及びポンプ部取り外し構造を一部透視して示す斜視図。
【図８】実施例２における携帯時等のうがい薬容器の独立構造を示す斜視図。
【発明を実施するための形態】
【００１０】
本発明を実施するための形態を実施例１乃至実施例２を挙げて説明をする。実施例１は図１乃至図３、実施例２は図４乃至図８参照のもと以下の通り。
【実施例１】
【００１１】
コップ（１）は、外周部に取っ手（７）を有し、うがい時や歯磨き時に必要な水量を収容する貯水槽（１１）と、貯水槽（１１）の少なくとも約１/５以上の容積をもつ、うがい薬（１０）を収容するうがい薬貯液槽（２）を取っ手（７）側に設ける。
また、取っ手（７）は、うがい時や以降説明するポンプ（５）の押圧の際等に利便性を発揮するが、コンパクト性重視等デザインの都合上、取っ手（７）が無くても適用されるものとする。
【００１２】
うがい薬貯液槽（２）の開口部には、うがい薬（１０）を吸引し貯水槽（１１）へ放出するポンプ（５）と一体型のうがい薬貯液槽キャップ（６）が装着される。うがい薬貯液槽キャップ（６）とうがい薬貯液槽（２）の接続部は凹凸式等の構造で、うがい薬（１０）の衛生維持や液漏れ防止のため確実に装着でき、かつ、うがい薬貯液槽キャップ（６）は指で引っかけられるツメ状の箇所を設けた形状で、うがい薬（１０）の詰替え時には容易に脱着できるようにする。また、うがい時にうがい液を口に運ぶ際、ポンプ（５）の上部が邪魔にならないよう、うがい薬貯液槽（２）開口部は、貯水槽（１１）開口部の平面より下に段差をつけ、ポンプ（５）の上部が、貯水槽（１１）の開口部平面よりも突出しない構造である。
【００１３】
ポンプ（５）は、上部の押圧によって、一定量のうがい薬（１０）を吸引し放出するので、押圧１回分の放出量を定めることで、うがいに使用するうがい薬（１０）の用量を量ることができる。
【００１４】
ノズル（４）は、うがい薬（１０）が貯水槽（１１）の底部中央付近に着水できる放出角度となっている。
【００１５】
うがい薬貯液槽（２）の内部には、うがい薬（１０）の最大容量を示すうがい薬メモリ（９）を設け、うがい薬貯液槽（２）の外周下部に、うがい薬（１０）が容量の約１/３程度に達した時点で、外部の透明状の窓から認識できる残量確認窓（８）を設ける。さらに、貯水槽（１１）の内部には、うがい時に必要な水量を量れる水量メモリ（１２）を設ける。
本発明の実施例１は以上のような構造である。
【００１６】
本発明の実施例１を使用するときは、ポンプ（５）と一体型のうがい薬貯液槽キャップ（６）を取り外し、市販の液状化されたうがい薬（１０）をうがい薬貯液槽（２）にうがい薬メモリ（９）まで入れ、ポンプ（５）と一体型のうがい薬貯液槽キャップ（６）を装着することで使用可能状態となる。
【００１７】
貯水槽（１１）には、水量メモリ（１２）を目安に、うがいに適した規定量の水（１３）を入れる。次に、ポンプ（５）の上部を指で押圧し、規定量のうがい薬（１０）を貯水槽（１１）の水（１３）に注入してうがいを行う。
【００１８】
うがい薬（１０）の詰替え時は、残量確認窓（８）で液量の状態を確認し、詰替えが必要になったら前記の手順を繰り返す。
【実施例２】
【００１９】
コップ（１）は、取っ手の有無に関わらず適用されるものとし、うがい時や歯磨き時に必要な水量を収容し、内部にはうがい時に必要な水量を量れる水量メモリ（１２）を設ける。
【００２０】
うがい薬容器（３）は、コップ（１）の貯水槽（１１）の少なくとも約１/５以上の容積をもつ、うがい薬（１０）を収容するうがい薬貯液槽（２）を設け、開口部には、うがい薬（１０）を吸引し貯水槽（１１）へ放出するポンプ（５）と一体型のうがい薬貯液槽キャップ（６）が装着される。うがい薬貯液槽キャップ（６）とうがい薬貯液槽（２）の接続部は、ねじ式等の構造で、うがい薬（１０）の衛生維持や液漏れ防止のため確実に装着でき、かつ、うがい薬（１０）の詰替え時には容易に脱着できる形状とする。
【００２１】
うがい薬容器（３）の外周部には、コップ（１）の開口部と連結するクリップ式等の装着器具（１４）を設ける。また、コップ（１）と接するうがい薬容器（３）の外周部は、連結時に安定性を保つため、平面から見たうがい薬貯液槽（２）の断面形状が内側に湾曲部を有しており、コップ（１）側面との接地面積を大きくする形状にする。さらに、うがい時に、うがい薬容器（３）とコップ（１）を連結した状態でうがい液を口に運ぶ際、ポンプ（５）の上部が邪魔にならないよう、ノズル（４）以外のポンプ（５）の上部が、コップ（１）の開口部平面よりも突出しない構造である。
【００２２】
ポンプ（５）は、上部の押圧によって、一定量のうがい薬（１０）を吸引し放出するので、押圧１回分の放出量を定めることで、うがいに使用するうがい薬（１０）の用量を量ることができる。
【００２３】
ノズル（４）は、不特定のコップに対応できるよう、ジャバラ部をもつストローのような形状で放出角度を調節でき、うがい薬（１０）が貯水槽（１１）の底部中央付近に着水可能な構造とする。
【００２４】
うがい薬貯液槽（２）の内部には、うがい薬（１０）の最大容量を示すうがい薬メモリ（９）を設け、うがい薬貯液槽（２）の外周下部に、うがい薬（１０）が容量の約１/３程度に達した時点で、外部の透明状の窓から認識できる残量確認窓（８）を設ける。
【００２５】
うがい薬容器（３）の携帯時等には、ノズル（４）回転させ、ポンプキャップ（１５）を装着すると、衛生的でポンプ（５）の誤押圧も回避でき、携帯時に適した状態となる。
本発明の実施例２は以上のような構造である。
【００２６】
本発明の実施例２を使用するときは、ポンプ（５）と一体型のうがい薬貯液槽キャップ（６）を取り外し、市販の液状化されたうがい薬（１０）をうがい薬貯液槽（２）にうがい薬メモリ（９）まで入れ、ポンプ（５）と一体型のうがい薬貯液槽キャップ（６）を装着する。そして、うがい薬容器（３）を装着器具（１４）介してコップ（１）に連結することで使用可能状態となる。
【００２７】
貯水槽（１１）には、水量メモリ（１２）を目安に、うがいに適した規定量の水（１３）を入れる。次に、ポンプ（５）の上部を指で押圧し、規定量のうがい薬（１０）を貯水槽（１１）の水（１３）に注入してうがいを行う。前記の説明は、本発明でセット開発されるコップ（１）によるものだが、使用者が所持する歯磨用のコップ等、不特定なコップに設置可能である。
【００２８】
うがい薬（１０）の詰替え時は、残量確認窓（８）で液量の状態を確認し、詰替えが必要になったら前記手順を繰り返す。
【００２９】
うがい薬容器（３）の携帯時等には、コップ（１）からうがい薬容器（３）を取り外し、ノズル（４）回転させ、ポンプキャップ（１５）を装着する。
【符号の説明】
【００３０】
１ コップ、  2 うがい薬貯液槽、  ３ うがい薬容器、  ４ ノズル、  ５ ポンプ、  ６ うがい薬貯液槽キャップ、  ７ 取っ手、  ８ 残量確認窓、  ９ うがい薬メモリ、  １０ うがい薬、  １１ 貯水槽、  １２ 水量メモリ、  １３ 水、  １４ 装着器具、  １５ ポンプキャップ
【図１】
2014083250.tif 000003
【図２】
2014083250.tif 000004
【図３】
2014083250.tif 000005
【図４】
2014083250.tif 000006
【図５】
2014083250.tif 000007
【図６】
2014083250.tif 000008
【図７】
2014083250.tif 000009
【図８】
2014083250.tif 000010